(57)【要約】      （修正有）【課題】家具などの埃を素早く取り、素早く処理する為に、どこにでも飾りとして置いて置け、品物に傷をつけることなく、手軽に素早く使用し、処理することのできる埃とり具を提供する。【解決手段】埃とり具の材料は不用になった絹織物などの絹布を使用し、これにより細かい埃まで取れ、傷もつかず、艶も出すことができる。中のクッション材は古綿、人工綿、スポンジ、荷造り用緩衝材など、廃材としている物を使用することで、エコである。【選択図】図１
2016029990.tif 000002
【特許請求の範囲】
【請求項１】
仏具、仏壇用品、本棚,飾り棚、テレビ、テレビ台、パソコン、パソコン周り、の艶出しと、埃取りに、家具に傷もつけず、エコになります。絹布でつくる為、傷が付きにくく艶がでます。
【請求項２】
中にツッション材として使用する、古綿；人工綿、スポンジ、荷造り用緩衝材、など廃材としている物でも使用できる。
【請求項３】
底の部分に硬材質の、例えばダンボールなど、４角形にカットした物をいれる。これは埃のこびりつき、隅々の埃を取るために使用する。
【請求項４】
埃を取る時底の部分の外側にばかり埃が、集まる為、凹みをつくり、より多くの埃が取れるようにした。
【発明の詳細な説明】
【技術分野】
【０００１】
仏壇、仏具、テレビ、テレビ台周り，飾りだな、本棚など乾いた埃とりに適している。品物に傷をつけることなく埃を集め、掠め取る、取られた埃は新聞祇を丸めたものでふき取る。大変エコである。
【背景技術】
【０００２】
従来の埃とり具は、乾いた布、タオルなどで拭き取るのが主流であるが、その布、タオルを  洗う手間を省くため考えました。
【先行技術文献】
【特許文献】
【０００３】
【特許文献１】公開番号２０１４−３３８９６                                                                                        特願番号２０１１−１２１４２１                                                                                        出願番号２０１０−２９１５５２                                                                                      特願平１０−２７２４４８
【非特許文献】
【０００４】
【非特許文献１】特になし
【発明の概要】
【発明が解決しようとする課題】
【０００５】
材料は絹布で作り、中にクッション材として、綿。スポンジ、荷物用つめものなど、廃材品を使用するため、エコにもなり、品物にも傷が付かず絹で作るため艶も出ます。この埃取りは、普段は飾り物となり，いつもそこにあり、手軽に使用できます
【課題を解決するための手段】
【０００６】
特に仏具などの埃とリ具は、傷が付きやすいため気をつけなくてはいけません。絹もので作りますので、色合いといい肌触りといい、艶出しといいとても適しているとおもいます。
【発明の効果】
【０００７】
飾り物にもなります、手軽に使えて、エコにもなります。底の部分に少し固めのダンボールの切れ端を、いれておきます。これは隅の汚れとるため,また、乾いた埃は拭きとっつたとき、埃が底辺の外側ばかりに集まる為、へこみ部分を一筋二筋作ります。へこみ部分に埃が集まるためです
【図面の簡単な説明】
【０００８】
【図１】本発明の平面図である。中にクッシヨン材を入れる。
【図２】aとcを結ぶ
【図３】底の一部分に硬材質の物をいれる、たとえばダンボールを四角形にきった物質をいれこびり付いた埃取りに使用しる。
【図４】さらに、底の部分に、細かな凹みを作る。これは埃をかすめとった時、埃が底の部分の外側ばかりに集まる為、全体に集まるようにしました。
【発明を実施するための形態】
【０００９】
以下、本発明の実施の形態について図面を参照しつつ詳細に説明しますと、図1、基本となる、平面図を示す、中にクッシヨン剤として綿、人工綿,スポンジ、荷造り用緩衝剤をいれてクツィヨンとする、図2とｂを接続し、使用するとき指を入れて、使いやすくする、図3底部には四角形の物をいれる、たとえは  ダンボールのような物、これは隅々の埃,こびりつきの埃を取るのに 使用する。図4は、底部に筋状の凹みを作り、埃が底全体に集まるようにした。
【実施例】
【００１０】
仏具、仏壇用品、本棚、飾り棚、テレビ、テレビ台、などの埃取りに、適しています。使用しないときには飾りになります。掠め取った埃は新聞紙を小さく丸めた物で、擦り取ります。とてもエコです。特に絹製品で作ると,きれいな艶も出ます
【産業上の利用可能性】
【００１１】
利用可能性としては、仏壇用品、パソコン、テレビ周り、本棚、たんす、飾り棚、など大切な家具に、手軽に使用でき、エコである、中にクッシヨンとして入れる物質も荷造り用緩衝材、スポンジ、古綿、人工綿など使用できる。絹織物で作ると、艶も出て傷もつきにくい。  
【符号の説明】
【００１２】
図1  平面図、中にクッシヨン材を入れる    ａ，ｂ，ｃ，ｄ，は四隅の記号.    図2はａ，ｃを接続したところ。    図3は底の部分に硬質の、例えば、ダンボールを四角形にきつたのを入れる。    図4は底の部分に凹みをつくる。
【図１】
2016029990.tif 000003
【図２】
2016029990.tif 000004
【図３】
2016029990.tif 000005
【図４】
2016029990.tif 000006
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
平たいクッション材を中に入れた布の、互いに反対側にある一対の端を結んで環状にすることにより、指を通して使用に供することを可能にした埃取り具。
【請求項２】
こびり着いた埃取りに役立つ硬材質片が、互いに結ばれた前記一対の端から見て反対側の前記布の部分である底の一部を占めるように、前記布の中に更に入っている請求項１に記載の埃取り具。
【請求項３】
前記硬材質片は段ボール片である請求項２に記載の埃取り具。
【請求項４】
互いに結ばれた前記一対の端から見て反対側の前記布の部分である底の一部に、凹みが形成されている請求項１から３のいずれかに記載の埃取り具。
【請求項５】
前記布は矩形の布であり、互いに対角をなす一対の端を結んで環状にされている請求項１から４のいずれかに記載の埃取り具。
【請求項６】
前記布は絹布である請求項１から５のいずれかに記載の埃取り具。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
平たいクッション材を中に入れた矩形の絹の布の、互いに対角をなす一対の端を結んで環状にされており、それにより、指を通して使用に供することを可能にした埃取り具。
【請求項２】
こびり着いた埃取りに役立つ硬材質片が、互いに結ばれた前記一対の端から見て反対側の前記布の部分である底の一部を占めるように、前記布の中に更に入っている請求項１に記載の埃取り具。
【請求項３】
前記硬材質片は段ボール片である請求項２に記載の埃取り具。
【請求項４】
互いに結ばれた前記一対の端から見て反対側の前記布の部分である底の一部に、凹みが形成されている請求項１から３のいずれかに記載の埃取り具。
【手続補正２】
【補正対象書類名】明細書
【補正対象項目名】００１０
【補正方法】変更
【補正の内容】
【００１０】
仏具、仏壇用品、本棚、飾り棚、テレビ、テレビ台、などの埃取りに、適しています。使用しないときには飾りになります。掠め取った埃は新聞紙を小さく丸めた物で、擦り取ります。とてもエコです。特に絹製品で作ると,きれいな艶も出ます。
本発明の実施の形態についてさらに記載します。
（Ａ１）  仏具、仏壇用品、本棚,飾り棚、テレビ、テレビ台、パソコン、パソコン周り、の艶出しと、埃取りに、家具に傷もつけず、エコになります。絹布でつくる為、傷が付きにくく艶がでます。
（Ａ２）  中にツッション材として使用する、古綿；人工綿、スポンジ、荷造り用緩衝材、など廃材としている物でも使用できる。
（Ａ３）  底の部分に硬材質の、例えばダンボールなど、４角形にカットした物をいれる。これは埃のこびりつき、隅々の埃を取るために使用する。
（Ａ４）  埃を取る時底の部分の外側にばかり埃が、集まる為、凹みをつくり、より多くの埃が取れるようにした。
（Ｂ１）
平たいクッション材を中に入れた布の、互いに反対側にある一対の端を結んで環状にすることにより、指を通して使用に供することを可能にした埃取り具。
（Ｂ２）
こびり着いた埃取りに役立つ硬材質片が、互いに結ばれた前記一対の端から見て反対側の前記布の部分である底の一部を占めるように、前記布の中に更に入っている（Ｂ１）に記載の埃取り具。
（Ｂ３）
前記硬材質片は段ボール片である（Ｂ２）に記載の埃取り具。
（Ｂ４）
互いに結ばれた前記一対の端から見て反対側の前記布の部分である底の一部に、凹みが形成されている（Ｂ１）から（Ｂ３）のいずれかに記載の埃取り具。
（Ｂ５）
前記布は矩形の布であり、互いに対角をなす一対の端を結んで環状にされている（Ｂ１）から（Ｂ４）のいずれかに記載の埃取り具。
（Ｂ６）
前記布は絹布である（Ｂ１）から（Ｂ５）のいずれかに記載の埃取り具。